(57)【要約】      （修正有）【課題】刻印の書体、模様または図案とより顕著に示すことができる表示溝を備える手工具を提供する。【解決手段】手工具は、手工具の一表面に形成されている表示溝２２，２２ａを備える。表示溝には、底面２２１と下部表面とを形成されている。下部表面は、高さ方向に沿って底面２２１と受圧面２１との間に位置する。表示溝２２，２２ａの底面２２１と下部表面との間には、垂直段差を形成されている。表示溝２２，２２ａは、表示の機能を奏する。【選択図】図８
0003185278.tif 000002
【実用新案登録請求の範囲】
【請求項１】
表示溝を備える手工具であって、
前記表示溝は、手工具の一表面に形成されており、前記表示溝には、底面と下部表面とが形成されており、前記下部表面は、高さ方向に沿って底面と受圧面との間に位置し、前記表示溝の底面と下部表面との間には垂直段差が形成されており、前記表示溝は表示機能を奏する、ことを特徴とする表示溝を備える手工具。
【請求項２】
前記表示溝により前記手工具の前記受圧面に少なくとも一つの仕切り区域が形成されており、前記仕切り区域の表面と前記手工具の受圧面との間に変形量が形成される、ことを特徴とする請求項１に記載の表示溝を備える手工具。
【請求項３】
前記下部表面は、前記底面の両側に形成される第１部分と第２部分を含み、前記第１部分は、前記高さ方向と垂直である第１部分の幅を有し、前記第２部分は、前記高さ方向と垂直である第２部分の幅を有し、前記底面は、前記高さと垂直である底面の幅を有し、前記第１部分の幅と前記第２部分の幅との合計は、前記底面の幅より小さい、ことを特徴とする請求項１に記載の表示溝を備える手工具。
【考案の詳細な説明】
【技術分野】
【０００１】
本考案は、手工具に関し、特に表示溝を備える手工具に関する。
【背景技術】
【０００２】
図１４ないし１６を参照すると、従来技術の表示溝を備える手工具の製造方法が示されている。従来の製造方法において、まず、刻印面８１を有する字型８を用意する。字型８は、刻印面８１から突出して形成された突出表示部８２を含む。突出表示部８２は、上面８２１と、上面８２１の輪郭に沿って形成される境界８２２とを有する。図１４に示すとおり、突出表示部８２の上面８２１と突出表示部８２の境界８２２とにより、アルファベット大文字Ｗが形成される。
【０００３】
次に、受圧面９１を有する手工具９を用意する。字型８を公知の刻印機（図示せず）に取り付けて、字型８の刻印面８１が手工具９の受圧面９１に向かいようにする。次に、刻印機を動かして字型８が手工具９の受圧面９１に圧接するようにする。これにより、手工具９が塑性変形され、手工具９の受圧面９１に表示溝９２が形成される。即ち、表示溝９２の形状がアルファベット大文字Ｗに形成されているので、表示効果を奏することができる。字型８の突出表示部８２の上面８２１が手工具９の受圧面９１に圧接さされることにより、表示溝９２の底面９２１と突出表示部８２の上面８２１とが互いに接触する。表示溝９２により、手工具９の受圧面９１に３つの仕切り区域９１１が形成されている。字型８の圧迫により手工具９の受圧面９１に表示溝９２が形成されるとともに、３つの仕切り区域９１１も字型８の圧迫により変形するので、３つの仕切り区域９１１の表面と手工具９の受圧面９１との間に変形量Ｔ３が生じる。字型８を取り除くと、表示用の表示溝９２を備える手工具９が形成される。図１５は、手工具９には、表示用の表示溝９２、即ち表示用のアルファベット大文字Ｗが形成されている。
【考案の概要】
【考案が解決しようとする課題】
【０００４】
しかし、前述した従来の技術には、以下のような欠点を有している。
【０００５】
１、表示溝９２により手工具９の受圧面９１に形成される仕切り区域９１１において、字型８の圧迫変形による仕切り区域９１１の変形量Ｔ３が大きくなり、仕切り区域９１１の同士間の間隔Ｌ３が小さくなるため、刻印される書体、模様または図案を顕著に示すことができない。
【０００６】
２、前記間隔Ｌ３が小さすぎるため、手工具９を長時間使用する場合、磨損により表示溝９２に形成されている書体、模様または図案が褪せてしまう恐れがある。
【０００７】
３、色を付けるために表示溝９２に顔料を注入する場合、前記距離Ｌ３が小さすぎて、顔料が仕切り区域９１１に滲み込む恐れがある。従って、表示溝９２により形成される書体、模様または図案と、手工具９の受圧面９１又は仕切り区域９１１との間に顕著な色のコントラストを形成することができない。
【０００８】
前述した従来の技術の問題を解決するため、本考案者は、次のような技術方案を提出する。
【課題を解決するための手段】
【０００９】
本考案で改善しようとする技術課題は、手工具の受圧面に形成された表示溝において、字型の圧迫による仕切り区域の変形量が従来技術の字型による変形量より小さくなるように構成して、表示溝と仕切り区域に顕著な段差を形成するとともに、刻印の書体、模様または図案をより顕著に示すことができる表示溝を備える手工具を提供することにある。
【００１０】
本考案手工具は、手工具の一表面に形成される表示溝を備える。表示溝には、底面と下部表面とが形成されている。下部表面は、高さ方向に沿って底面と受圧面との間に位置し、表示溝の底面と下部表面との間には、垂直段差が形成されている。表示溝は、表示の機能を奏する。
【００１１】
本考案の主な特徴は、表示溝により手工具の受圧面に少なくとも１つの仕切り区域が形成されている。仕切り区域の表面と手工具の受圧面との間には、変形量が形成される。下部表面は、底面の両側に形成されている第１部分と、第２部分とを含む。第１部分は、高さ方向と垂直である第１部分の幅を有し、第２部分は、高さ方向と垂直である第２部分の幅を有する。底面は、高さ方向と垂直である底面の幅を有し、第１部分の幅と第２部分の幅の合計は、底面の幅より小さい。表示溝により手工具の受圧面に形成された仕切り区域において、字型の圧迫による仕切り区域の変形量が従来技術の字型による変形量より小さいため、表示溝と仕切り区域に顕著な段差を形成するとともに、刻印された書体、模様または図案をより顕著に示すことができる。
【００１２】
本考案の次の特徴は、表示溝に色を付けるために表示溝に顔料を注入する時、表示溝と仕切り区域との間に顕著な段差が形成されているので、顔料が仕切り区域に滲み込むこと防ぐとともに、表示溝により形成される書体、模様または図案と、手工具の受圧面又は仕切り区域との間に顕著なコントラストを形成して、表示溝の表示機能が大幅に向上させることができる。
【考案の効果】
【００１３】
本考案による考案の効果を以下の通り説明する。
【００１４】
１、表示溝により手工具の受圧面に少なくとも１つの仕切り区域が形成され、仕切り区域の表面と手工具の受圧面との間に変形量が形成される。下部表面は、底面に異なる両側に形成される第１部分と第２部分とを含む。第１部分は、高さ方向と垂直である第１部分の幅を有し、第２部分は、高さ方向と垂直である第２部分の幅を有する。底面は、高さ方向と垂直である底面の幅を有し、第１部分の幅と第２部分の幅の合計は、底面の幅より小さい。表示溝により手工具の受圧面に形成された仕切り区域において、字型の圧迫による仕切り区域の変形量が従来技術の字型による変形量より小さいので、表示溝と仕切り区域とに顕著な段差を形成するとともに、刻印された書体、模様または図案をより顕著に示すことができる。
【００１５】
２、本考案は、次のような考案の効果を招来することもできる。表示溝に色を付けるために表示溝に顔料を注入する時、表示溝と仕切り区域との間に顕著な段差が形成されているので、顔料が仕切り区域に滲み込むことを防ぐことができる。且つ、書体、模様または図案が形成される手工具の受圧面と、手工具の受圧面又は仕切り区域との間に顕著なコントラストが形成されるので、表示溝の表示機能が大幅に向上させることができる。
【００１６】
前述した通り、本考案に係る実施例は、従来の技術に公開されたものに該当せず、実用新案法による新規性、進歩成及び産業上の利用価値を有しているので、実用新案法に基づいて本考案を出願する。
【図面の簡単な説明】
【００１７】
【図１】本考案に係る表示溝を備える手工具の製造流れを示す図である。
【図２】本考案の字型を示す斜視図である。
【図３】本考案の字型と手工具を示す斜視図である。
【図４】本考案の字型の刻印面と手工具の受圧面とが対向された状態を示す図である。
【図５】本考案の字型の最上面を手工具の受圧面に圧接させて表示溝の底面を形成することを示す図である。
【図６】本考案の字型の突出表示部の上面を手工具の受圧面に圧接させて表示溝の底面を形成することを示す図である。
【図７】本考案の字型を手工具の受圧面から離した状態を示す図である。
【図８】本考案の字型により表示溝が形成される手工具を示す図である。
【図９】図８の９−９断面線に沿った断面図である。
【図１０】図８の１０−１０断面線に沿った断面図である。
【図１１】図８の１１−１１断面線に沿った断面図である。
【図１２】図８の１２−１２断面線に沿った断面図である。
【図１３】図８の局所拡大図である。
【図１４】従来技術の字型を示す斜視図である。
【図１５】表示溝が形成された手工具の局所を示す拡大図である。
【図１６】図１５の１６−１６断面線に沿った断面図である。
【考案を実施するための形態】
【００１８】
本考案による技術、手段ならびに効果については、本考案の好ましい実施例と図式を参照しながら、次の通り詳しく説明する。好ましい実施例と図式は、本考案を説明することを目的とするが、本考案がそのような構造に制限されるものではない。
【００１９】
図１は、本考案の製造の流れを示す図である。本考案の表示溝を備える手工具の製造方法は、以下のステップを含める。
【００２０】
まず、図２に示すように、刻印面１１を有する字型１を用意する。字型１の刻印面１１には、突出表示部１２が凸設されている。突出表示部１２は、上面１２１を有し、上面１２１の輪郭部は、境界１２２を有する。突出表示部１２の上面１２１と、突出表示部１２の境界１２２とによりアルファベット大文字Ｗが形成される。突出表示部１２の上面１２１に突起部１３が凸設され、且つ突起部１３が突出表示部１２の境界１２２内に形成されることにより、突起部１３と突出表示部１２との間に段差が形成される。突起部１３は、最上面１３１を有し、突起部１３の最上面１３１の輪郭部は、縁部１３２を有する。突起部１３の最上面１３１と突起部１３の縁部１３２とによりアルファベット大文字Ｗが形成される。図３に示す通り、本実施例において、２つの字型１、１ａを用意する。２つの字型１、１ａの突出表示部１２、１２ａには、アルファベット大文字Ｗと、アルファベット大文字Ｂがそれぞれ形成されている。図４に示す通り、突出表示部１２ａの上面１２１ａから刻印面１１までの間は、刻印面１１と垂直である高さ方向に沿う第１高さＨ１を有し、突起部１３ａの最上面１３１ａから刻印面１１ａまでの間は、前記高さ方向に沿う第２高さＨ２を有する。第２高さＨ２は、第１高さＨ１より大きい。突出表示部１２ａの境界１２２ａの間は、前記高さ方向と垂直である第１幅Ｗ１を有し、突起部１３ａの２つの縁部１３２ａの間は、前記高さ方向と垂直である第２幅Ｗ２を有する。第１幅Ｗ１は、第２幅Ｗ２より大きく、さらに第２幅Ｗ２が第１幅Ｗ１の２分の１より大きいことが好ましい。
【００２１】
次は、手工具を用意する。図３に示す通り、書体転写の手工具２を用意する。本実施例の手工具２は、手工具であり、受圧面２１を有する。
【００２２】
次は、字型を手工具に転写する。図４ないし７に示すように、２つの字型１、１ａを公知の刻印機（図示しない）に取り付けることができる。即ち、２つの字型１、１ａの刻印面１１、１１ａが手工具２の受圧面２１に向かいようにした後、刻印機により２つの字型１、１ａが手工具２の受圧面２１に圧接するようにする。この場合、手工具２が塑性変形され、手工具２に２つの表示溝２２、２２ａが形成される。２つの表示溝２２、２２ａの断面形状がそれぞれアルファベット大文字Ｗとアルファベット大文字Ｂであるので、表示の効果を奏することができる。
【００２３】
２つの字型１、１ａの文字を転写成形するステップが同じであるため、以下、字型１ａのみについて説明する。字型１ａの文字を転写成形するとき、第２高さＨ２が第１高さＨ１より大きいため、字型１ａの突起部１３ａの最上面１３１ａが先に手工具２の受圧面２１に接触し、且つ表示溝２２ａの底面２２１ａと突起部１３ａの最上面１３１ａとが互いに接触する。字型１ａが手工具２を圧迫し続ける場合、字型１ａの突出表示部１２ａの上面１２１ａが手工具２の受圧面２１に接触し、且つ表示溝２２ａの下部表面２２２ａと突出表示部１２ａの上面１２１ａとが互いに接触する。下部表面２２２ａは、高さ方向に沿って、底面２２１ａと受圧面２１との間に形成される。従って、表示溝２２ａにおいて、底面２２１ａと下部表面２２２ａとの間に垂直段差量Ｄ１が形成される。表示溝２２ａにより手工具２の受圧面２１に２つの仕切り区域２１１ａが形成され、且つ各仕切り区域２１１ａの一面と手工具２の受圧面２１との間は離間している。間隔Ｌ１は、表示溝２２ａの底面２２１ａと各仕切り区域２１１ａとの間に形成されている。図１６に示す通り、距離Ｌ１が公知技術の表示溝９１の距離Ｌ３より明らかに大きい。字型１ａの圧迫により手工具２の受圧面２１に表示溝２２ａが形成されるとともに、字型１ａの圧迫により２つの仕切り区域２１１ａが変形するので、２つの仕切り区域２１１ａの表面と手工具２の受圧面２１との間に変形量Ｔ１が生じ、かつ変形量Ｔ１が公知技術の表示溝９１の変形量Ｔ３より小さい。
【００２４】
字型８を取り除くと、表示用の表示溝２２を備える手工具２が形成される。図８に示すように、手工具２には、表示用の２つの表示溝２２、２２ａ、即ちアルファベット大文字ＷとＢをそれぞれ表示する表示溝２２、２２ａが形成されている。図９ないし１３は、図８の断面図と局所拡大図とを示す図である。表示溝２２は、底面２２１と下部表面２２２とを有し、下部表面２２２は、高さ方向に沿って、底面２２１と受圧面２１との間に形成されている。これにより、表示溝２２の底面２２１と下部表面２２２との間に垂直段差量Ｄ２が形成される。且つ表示溝２２により手工具２の受圧面２１に３つの仕切り区域２１１が形成され、各仕切り区域２１１の一面と手工具２の受圧面２１との間は離間している。間隔Ｌ２は、表示溝２２の底面２２１と各仕切り区域２１１との間に形成されている。図１６に示すとおり、距離Ｌ２が公知技術の表示溝９１の距離Ｌ３より明らかに大きい。字型１の圧迫変形により手工具２の受圧面２１に表示溝２２が形成されるとともに、字型１ａの圧迫により２つの仕切り区域２１１ａが変形して、３つの仕切り区域２１１の表面と手工具２の受圧面２１との間に変形量Ｔ２を生じ、かつ変形量Ｔ２が公知技術の表示溝９１の変形量Ｔ３より小さい。
【００２５】
また、各表示溝２２、２２ａの下部表面２２２、２２２ａは、底面２２１、２２１ａの異なる両側にそれぞれ形成される第１部分２２２Ａと第２部分２２２Ｂを含んでいる。第１部分２２２Ａは、高さ方向と垂直である第１部分の幅Ｗ１１を有し、第２部分２２２Ｂは、高さ方向と垂直である第２部分の幅Ｗ１２を有し、底面２２１、２２１ａは、高さ方向と垂直である底面の幅Ｗ１３を有する。第１部分の幅Ｗ１１と第２部分の幅Ｗ１２との合計は、底面の幅Ｗ１３より小さい。
【００２６】
上述した本考案の実施例により、以下のような考案の効果を招来することができる。
【００２７】
１、表示溝により手工具の受圧面に少なくとも１つの仕切り区域が形成され、仕切り区域の表面と手工具の受圧面との間に変形量が形成される。下部表面は、底面の異なる両側に形成される第１部分と第２部分とを含み、且つ第１部分は、高さ方向と垂直である第１部分の幅を有し、第２部分は、高さ方向と垂直である第２部分の幅を有し、底面は、高さ方向と垂直である底面の幅を有する。第１部分の幅と第２部分の幅の合計は、底面の幅より小さい。手工具の受圧面に形成された表示溝において、字型の圧迫による仕切り区域の変形量が従来技術の字型により変形量より小さいので、表示溝と仕切り区域に顕著な段差を形成するとともに、刻印された書体、模様または図案をより顕著に示すことができる。
【００２８】
２、本考案は、次のような考案の効果を招来することもできる。表示溝に色を付けるために表示溝に顔料を注入する時、表示溝と仕切り区域との間に顕著な段差が形成されているので、顔料が仕切り区域に滲み込むことを防ぐとともに、表示溝により形成された書体、模様または図案と、手工具の受圧面又は仕切り区域との間に顕著なコントラストを形成して、表示溝の表示機能を大幅に向上させることができる。
【００２９】
前述した通り、本考案に係る実施例は、従来の技術に公開されるものに該当せず、実用新案法による新規性、進歩成及び産業上の利用価値を有しているので、実用新案法に基づいて本考案を出願する。
【符号の説明】
【００３０】
（先行技術）
８  字型
８１  刻印面
８２  突出表示部
８２１  上面
８２２  境界
９  手工具
９１  受圧面
９１１  仕切り区域
９２  表示溝
９２１  底面
Ｔ３  変形量
（本考案）
１  字型
１１  刻印面
１２  突出表示部
１２１  上面
１２２  境界
１３  突起部
１３１  最上面
１３２  縁部
１ａ  字型
１１ａ  刻印面
１２ａ  突出表示部
１２１ａ  上面
１２２ａ  境界
１３ａ  突起部
１３１ａ  最上面
１３２ａ  縁部
２  手工具
２１  受圧面
２１１  仕切り区域
２１１ａ  仕切り区域
２２  表示溝
２２１  底面
２２２  下表面
２２ａ  表示溝
２２１ａ  底面
２２２ａ  下表面
２２２Ａ  第１部分
２２２Ｂ  第２部分
Ｈ１  第１高さ
Ｈ２  第２高さ
Ｗ１  第１幅
Ｗ２  第２幅
Ｗ１１  第１部分の幅
Ｗ１２  第１部分の幅
Ｗ１３  底面の幅
Ｄ１  垂直段差量
Ｄ２  垂直段差量
Ｔ１  変形量
Ｔ２  変形量
Ｔ３  変形量
Ｌ１  間隔
Ｌ２  間隔
Ｌ３  間隔
【図１】
0003185278.tif 000003
【図２】
0003185278.tif 000004
【図３】
0003185278.tif 000005
【図４】
0003185278.tif 000006
【図５】
0003185278.tif 000007
【図６】
0003185278.tif 000008
【図７】
0003185278.tif 000009
【図８】
0003185278.tif 000010
【図９】
0003185278.tif 000011
【図１０】
0003185278.tif 000012
【図１１】
0003185278.tif 000013
【図１２】
0003185278.tif 000014
【図１３】
0003185278.tif 000015
【図１４】
0003185278.tif 000016
【図１５】
0003185278.tif 000017
【図１６】
0003185278.tif 000018